(57)【要約】【課題】ＩＣタグが付された商品の情報をユーザが入手する際の利便性を向上することができる商品情報提供装置、商品情報システム、及び商品情報提供システムを提供することを目的とする。【解決手段】予め設定された設定領域内に商品２に付されているＩＣタグ３が存在した場合、ＩＣタグ３に記憶されているタグ情報Ｄ１を、第１無線通信方式により読み取る第１通信部４１と、第１通信部４１によって読み取られたタグ情報Ｄ１に基づいて、商品２に関する情報である商品情報Ｄ２を取得する商品情報取得部４２と、商品情報取得部４２によって取得された商品情報Ｄ２を、第１無線通信方式とは異なる第２無線通信方式による無線信号で携帯無線端末装置５へ送信する第２通信部４４とを備えることを特徴とする。【選択図】図１
2017058862.tif 000002
【特許請求の範囲】
【請求項１】
商品に付されているＩＣタグに記憶されている情報を第１無線通信方式による無線通信で読み取り、読み取った情報に基づいた情報をユーザが用いるための携帯無線端末装置に対して前記第１無線通信方式とは異なる第２無線通信方式による無線通信で出力する商品情報提供装置であって、
予め設定された設定領域内に前記ＩＣタグが存在した場合、前記ＩＣタグに記憶されているタグ情報を、前記第１無線通信方式により読み取る第１通信部と、
前記第１通信部によって読み取られたタグ情報に基づいて、前記商品に関する情報である商品情報を取得する商品情報取得部と、
前記商品情報取得部によって取得された商品情報を、前記第２無線通信方式による無線信号で前記携帯無線端末装置へ送信する第２通信部とを備えた商品情報提供装置。
【請求項２】
前記設定領域は、前記第１通信部が、前記第１無線通信方式によって前記ＩＣタグと無線通信可能な領域である請求項１記載の商品情報提供装置。
【請求項３】
前記ＩＣタグはＵＨＦ帯のＩＣタグであり、前記第１無線通信方式はＵＨＦ帯の周波数の信号を用い、前記第２無線通信方式はＮＦＣ方式の信号を用いる請求項１又は２に記載の商品情報提供装置。
【請求項４】
前記商品情報には、前記商品を販売するＷｅｂサイトのＵＲＬ情報が含まれている請求項１から３のいずれか１項に記載の商品情報提供装置。
【請求項５】
前記商品情報取得部は、前記携帯無線端末装置に送信した商品情報と、当該携帯無線端末装置を識別するための端末識別情報とを対応させて記憶部に記憶させる請求項１から４のいずれか１項に記載の商品情報提供装置。
【請求項６】
前記商品は衣類であり、
前記商品情報は、前記衣類の画像である衣類画像情報をさらに含み、
前記ユーザを撮影する撮影部と、
前記撮影部によって撮影された画像である被撮影者画像情報と前記衣類画像情報とを合成し、当該衣類を着衣した状態の当該被撮影者の画像情報である被撮影者合成画像情報を生成する被撮影者合成部とを、さらに備え、
前記第２通信部は、前記被撮影者合成部によって合成された被撮影者合成画像情報又は前記被撮影者合成画像情報にアクセスするための情報を前記携帯無線端末装置に出力する請求項１から５のいずれか１項に記載の商品情報提供装置。
【請求項７】
前記予め設定された設定領域を試着室とする請求項１から６のいずれか１項に記載の商品情報提供装置。
【請求項８】
請求項１から７のいずれか１項に記載の商品情報提供装置と、
前記タグ情報と前記商品情報とを対応させて予め記憶する商品情報記憶部を備えたサーバと、
を含む商品情報システム。
【請求項９】
前記商品情報提供装置は、複数の店舗に設置され、
前記商品情報取得部は、前記携帯無線端末装置に送信すべく取得した商品情報と、前記商品情報提供装置が設置された店舗を識別するための店舗識別情報とを対応させて記憶部に記憶させる請求項８項に記載の商品情報システム。
【請求項１０】
請求項１から７のいずれか１項に記載の商品情報提供装置と、
前記第２通信部から第２無線通信方式で出力された無線信号を受信する第２無線信号通信部と前記第２無線信号通信部が受信した前記商品情報を記憶する無線端末記憶部とを備えた携帯無線端末装置と、
を含む商品情報提供システム。
【請求項１１】
請求項８又は９に記載の商品情報システムと、
前記第２通信部から第２無線通信方式で出力された無線信号を受信する第２無線信号通信部と前記第２無線信号通信部が受信した前記商品情報を記憶する無線端末記憶部とを備えた携帯無線端末装置と、
を含む商品情報提供システム。
【発明の詳細な説明】
【技術分野】
【０００１】
本発明は、商品に付されているＩＣタグに記憶されている情報を無線通信で読み取り、読み取った情報に対応した商品情報を無線通信で出力する商品情報提供装置、商品に付されているＩＣタグに記憶されている情報を無線通信で読み取り、読み取った情報に対応した商品情報を無線通信で出力する商品情報システム、商品情報提供装置から無線通信で出力された商品情報を携帯無線端末装置に記憶させる商品情報提供システムに関するものである。
【背景技術】
【０００２】
従来、インターネットが普及するまでは、実際の店舗で商品を確認したり、店員の意見を聞いたりして商品を購入することが一般的であった。しかしながら、インターネットが普及し、さらにはスマートフォンなどの携帯端末が普及すると、実際の店舗で商品を確認するだけに留まり、インターネット上に開設されたサイト上の店舗から商品を購入するようになっている。そのため、実際の店舗で購入してもらうようにサービスを向上させたり、実際の店舗が運営している自社のサイト上の店舗から商品を購入するように促している。
【０００３】
自社のサイトへの誘導方法としては、顧客にＵＲＬ（Uniform Resource Locator）を直接入力してもらったり、ＱＲコード（登録商標）等の２次元コードを携帯端末で撮影し、撮影した２次元コードの画像からサイトのＵＲＬ情報を取得し、自社のサイトにアクセスしてもらっている。
【０００４】
さらに、スマートフォンなどの携帯端末には、ＮＦＣ（Near field radio communication）方式の無線通信機能が搭載されている機種も多く有り、ＮＦＣ方式の無線通信を行ってＵＲＬ情報を携帯端末に送信したりしている。
【０００５】
例えば、特許文献１には、商品に付されているＮＦＣ方式のＩＣタグには当該商品の関連情報が記憶されており、このＩＣタグに記憶された商品の関連情報をＮＦＣ方式の無線通信を行って、携帯端末で直接読み取っている。そして、関連情報に含まれているＵＲＬアドレス情報を携帯端末が読み取ると、当該ＵＲＬアドレスに基づいてサーバにアクセスすることが記載されている。
【０００６】
一方、店舗や倉庫における商品管理では、ＵＨＦ帯の周波数を使用するＩＣタグが用いられている。ＵＨＦ帯の周波数を用いるＩＣタグの通信距離としては、電池が搭載されていないＩＣタグでは最長で５ｍ程度、電池を搭載しているＩＣタグでは最長で１００ｍ程度であり、ＮＦＣ方式の無線通信に比べて通信距離が長いという特性がある。また、ＩＣタグに記憶されている識別情報を一括で読み取ることもでき、商品の在庫管理や商品の出入りを管理する物流管理等で広く用いられている。
【先行技術文献】
【特許文献】
【０００７】
【特許文献１】特開２０１４−８５７５７号公報
【発明の概要】
【発明が解決しようとする課題】
【０００８】
しかしながら、インターネット上に開設された自社のＷｅｂサイトにアクセスしてもらう場合は、サイトのＵＲＬをパソコン等に直接入力することは顧客にとって非常に面倒な作業であるために、アクセスしてもらうことは困難であった。また、ＱＲコードなどの２次元コードを撮影することで自社のサイトにアクセスしてもらう場合は、ＵＲＬを直接入力するときに比べて操作性が容易にはなっているものの、携帯端末を操作して２次元コードにピントを合わせて撮影し、撮影した画像情報からＵＲＬの情報を解析させて、サイトにアクセスするという一連の操作を行わなければならず面倒なため、顧客が自社のサイトにアクセスしないことが多々あった。
【０００９】
さらに、特許文献１記載のように、ＮＦＣ方式のＩＣタグに記憶された情報を携帯端末が直接読み取り、ＩＣタグに記憶されているＵＲＬのサイトにアクセスする場合でも、携帯端末をＩＣタグに接近させてＩＣタグに記憶されている情報を直接読み取るという操作を行うことで商品に関連する情報を取得できる。しかしながら、ＮＦＣ方式の無線通信は通信距離が５ｃｍ程度かそれ以下であり、在庫管理や物流管理等を目的としてＮＦＣ方式のＩＣタグを利用することは困難であり、現在ではＵＨＦ帯の電波を用いるＩＣタグが広く使われている。加えて、携帯電話やスマートフォン等の携帯端末には、ＵＨＦ帯の電波を用いるＩＣタグを読み取るための機能が搭載されておらず、ＵＨＦ帯の電波を用いるＩＣタグに記憶されている情報を読み取ることはできなかった。
【００１０】
本発明は、係る問題に鑑み、ＩＣタグが付された商品の情報をユーザが入手する際の利便性を向上することができる商品情報提供装置、商品情報システム、及び商品情報提供システムを提供することを目的とする。
【課題を解決するための手段】
【００１１】
本発明に係る商品情報提供装置は、商品に付されているＩＣタグに記憶されている情報を第１無線通信方式による無線通信で読み取り、読み取った情報に基づいた情報をユーザが用いるための携帯無線端末装置に対して前記第１無線通信方式とは異なる第２無線通信方式による無線通信で出力する商品情報提供装置であって、予め設定された設定領域内に前記ＩＣタグが存在した場合、前記ＩＣタグに記憶されているタグ情報を、前記第１無線通信方式により読み取る第１通信部と、前記第１通信部によって読み取られたタグ情報に基づいて、前記商品に関する情報である商品情報を取得する商品情報取得部と、前記商品情報取得部によって取得された商品情報を、前記第２無線通信方式による無線信号で前記携帯無線端末装置へ送信する第２通信部とを備えることを特徴とする。
【００１２】
この構成によれば、設定領域内にＩＣタグが存在した場合、第１無線通信方式でＩＣタグに記憶されているタグ情報を読み取り、このタグ情報に基づいて取得した商品情報を第１無線通信方式とは異なる第２無線通信方式で出力するので、設定範囲内にＩＣタグが存在すると自動的にＩＣタグの情報を読み取ることができる。さらに、ＩＣタグに記憶された情報を通信方式が異なる無線信号で出力でき、当該ＩＣタグの通信方式に対応していない端末でもＩＣタグ情報に基づいた情報を得ることができる。
【００１３】
また、前記設定領域を、前記第１通信部が、前記第１無線通信方式によって前記ＩＣタグと無線通信可能な領域としてもよい。
【００１４】
この構成によれば、第１通信部から出力する無線信号の出力強度を調整することで、設定領域を変化させることができる。
【００１５】
また、前記ＩＣタグはＵＨＦ帯のＩＣタグであり、前記第１無線通信方式はＵＨＦ帯の周波数の信号を用い、前記第２無線通信方式はＮＦＣ方式の信号を用いてもよい。
【００１６】
この構成によれば、ＵＨＦ帯のＩＣタグを商品に付すことができるので、店舗側にとっては安価なＩＣタグを使用でき、かつ在庫管理や物流管理も簡単にできる。また、顧客側にとっては、ＮＦＣ方式の無線通信機能を備えた携帯端末で商品情報を容易に得ることができる。
【００１７】
また、前記商品情報には、前記商品を販売するＷｅｂサイトのＵＲＬ情報が含まれていてもよい。
【００１８】
この構成によれば、商品を販売するＷｅｂサイトのＵＲＬ情報を含んだ商品情報を出力するので、自社が運営するＷｅｂサイトへ容易に誘導することができる。特に、第２無線通信方式としてＮＦＣ方式を使用する場合には、顧客の携帯端末に商品を販売するＷｅｂサイトのＵＲＬ情報を送信できるので、顧客は自身の携帯端末を用いて容易に当該Ｗｅｂサイトにアクセスすることができる。
【００１９】
また、前記商品情報取得部は、前記携帯無線端末装置に送信された商品情報と、当該携帯無線端末装置を識別するための端末識別情報とを対応させて記憶部に記憶させてもよい。
【００２０】
この構成によれば、携帯無線端末装置に送信した商品情報と、当該携帯無線端末装置の端末識別情報とを対応させて記憶させているので、この情報を分析することで携帯無線端末装置のユーザがどのような商品に興味があるのかを理解することができる。
【００２１】
また、前記商品は衣類であり、前記商品情報は、前記衣類の画像である衣類画像情報をさらに含み、前記ユーザを撮影する撮影部と、前記撮影部によって撮影された画像である被撮影者画像情報と前記衣類画像情報とを合成し、当該衣類を着衣した状態の当該被撮影者の画像情報である被撮影者合成画像情報を生成する被撮影者合成部とを、さらに備え、前記第２通信部は、前記被撮影者合成部によって合成された被撮影者合成画像情報又は前記被撮影者合成画像情報にアクセスするための情報を前記携帯無線端末装置に出力してもよい。
【００２２】
この構成によれば、撮影部によって撮影された被撮影者の画像と、ユーザが持ち込んだ衣類の画像とを合成させた被撮影者合成画像情報を生成するので、ユーザは試着室で試着しなくても着衣したときの状態を容易にイメージすることができるだけでなく、衣服を着た状態に合成した被撮影者合成画像情報を携帯無線端末装置に記憶させたり、前記被撮影者合成画像情報にアクセスするための情報を携帯無線端末装置に記憶させたりすることができる。
【００２３】
また、前記予め設定された設定領域を試着室としてもよい。
【００２４】
この構成によれば、試着室に持ち込まれた衣類が持ち込まれると、当該衣類のタグ情報を読み取り、当該タグ情報に対応した商品情報を取得するので、携帯無線端末装置に当該商品情報を容易に記憶させることができる。
【００２５】
さらに、本発明に係る商品情報システムは、前記商品情報提供装置と、前記タグ情報と前記商品情報とを対応させて予め記憶する商品情報記憶部を備えたサーバとを備えることを特徴とする。
【００２６】
この構成によれば、前記タグ情報と前記商品情報とを対応させて予め記憶する商品情報記憶部をサーバに備えているので、サーバに備えられた商品情報記憶部を複数の商品情報提供装置で使用することができる。
【００２７】
また、前記商品情報提供装置は、複数の店舗に設置され、前記商品情報取得部は、前記携帯無線端末装置に送信すべく取得した商品情報と、前記商品情報提供装置が設置された店舗を識別する店舗識別情報とを対応させて記憶部に記憶させてもよい。
せてもよい。
【００２８】
この構成によれば、携帯無線端末装置に送信すべく取得した商品情報と、商品情報提供装置を設置している店舗を識別する情報とを対応させて記憶部に記憶させているので、この情報を分析することで、出店している地域と、当該地域に好まれる商品の傾向を理解することができる。
【００２９】
さらに、本発明に係る商品情報提供システムは、前記商品情報提供装置と、前記第２通信部から第２無線通信方式で出力された無線信号を受信する第２無線信号通信部と前記第２無線信号通信部が受信した前記商品情報を記憶する無線端末記憶部とを備えた携帯無線端末装置とを備えることを特徴とする。
【００３０】
この構成によれば、第２無線通信方式で出力された無線信号を受信し、この無線信号に含まれる商品情報を記憶する無線端末記憶部を携帯無線端末装置に備えているので、ユーザは容易に商品情報を携帯無線端末装置に記憶させることができ、さらには、ユーザの好きなときに商品情報を見ることができる。
【００３１】
さらに、本発明に係る商品情報提供システムは、前記商品情報システムと、前記第２通信部から第２無線通信方式で出力された無線信号を受信する第２無線信号通信部と前記第２無線信号通信部が受信した前記商品情報を記憶する無線端末記憶部とを備えた携帯無線端末装置とを備えることを特徴とする。
【００３２】
この構成によれば、第２無線通信方式で出力された無線信号を受信し、この無線信号に含まれる商品情報を記憶する無線端末記憶部を携帯無線端末装置に備えているので、ユーザは容易に商品情報を携帯無線端末装置に記憶させることができ、さらには、ユーザの好きなときに商品情報を見ることができる。
【発明の効果】
【００３３】
以上にしてなる本発明に係る商品情報提供装置、商品情報システム、及び商品情報提供システムは、ＩＣタグが付された商品の情報をユーザが入手する際の利便性を向上することができる。
【図面の簡単な説明】
【００３４】
【図１】本発明の一実施形態に係る商品情報提供装置、商品情報システム、及び商品情報提供システムを示すブロック図である。
【図２】商品情報の一例を示した説明図である。
【図３】商品情報提供装置の一例を示した説明図である。
【図４】商品情報提供装置を設置した試着室の一例を示した説明図である。
【図５】図５（ａ）は撮影部によって撮影された被撮影者画像であり、図５（ｂ）は衣類画像情報の画像であり、図５（ｃ）は被撮影者合成画像情報の画像である。
【図６】商品情報提供装置商品情報システム、及び商品情報提供システムに関するフロー図である。
【発明を実施するための形態】
【００３５】
本発明の一実施形態における商品情報提供システム１は、図１に示すように、商品情報システム４と、携帯無線端末装置５とによって構成される。また、商品情報システム４は、商品情報提供装置４ａと、サーバ４ｂとによって構成される。
【００３６】
さらに、本発明の一実施形態における商品情報提供装置４ａは、図１に示すように、商品２に付されたＩＣタグ３に記憶されたタグ情報Ｄ１を第１無線通信方式で読み取り、読み取ったタグ情報Ｄ１に基づいて、商品２に関する情報である商品情報Ｄ２を取得し、第１無線通信方式とは異なる第２無線通信方式による無線信号で商品情報Ｄ２を携帯無線端末装置５に出力するものである。
【００３７】
ＩＣタグ３は、商品２に付されるものであり、ＩＣタグ３を識別するためのタグ情報Ｄ１が予め記憶されている。商品情報提供装置４ａから第１無線通信方式で無線信号が出力されると、ＩＣタグ３はこの出力信号に対応した第１無線通信方式の無線信号を出力する。
【００３８】
ＩＣタグ３に記憶されているタグ情報Ｄ１は、ＩＣタグ３の識別番号、商品２の品番等の情報である。なお、商品２の価格、商品２を販売しているＷｅｂサイトのＵＲＬ、商品２の画像情報等の情報が含まれていてもよい。
【００３９】
ＩＣタグ３の第１無線通信方式としては、ＮＦＣ方式、ＵＨＦ帯の周波数を用いる方式、１２５ｋＨｚ帯の周波数を使用する方式等があるが、以下の説明では一例としてＵＨＦ帯の周波数を使用するＩＣタグ３の場合について説明する。ＵＨＦ帯のＩＣタグは、通信可能距離が長いという特性や、複数のＩＣタグ３の情報を同時に読み取ることができるという特性や、ＩＣタグ３が安価であるという特性から、倉庫や店舗などの在庫管理や、倉庫や店舗からの商品の出入りを管理する物流管理にも使用されており、販売者側にとっては既存のＩＣタグ３をそのまま使用できるというメリットがある。
【００４０】
商品情報システム４は、図１に示すように、商品情報提供装置４ａと、サーバ４ｂとによって構成される。また、商品情報提供装置４ａは、制御部４０、第１通信部４１、商品情報取得部４２、表示部４３、第２通信部４４、撮影部４５、被撮影者合成部４６とを備えている。
【００４１】
また、サーバ４ｂは、商品情報記憶部４７、識別情報記憶部４８として機能するコンピュータである。そして、サーバ４ｂは、インターネットやＬＡＮ（Local Area Network）等のネットワークを介して１又は複数の商品情報提供装置４ａと通信できるように構成されている。なお、サーバ４ｂを用いず、商品情報提供装置４ａが、商品情報記憶部４７と識別情報記憶部４８を備える構成としてもよい。
【００４２】
制御部４０は、例えば、所定の演算処理を実行するＣＰＵ（Central Processing Unit）、データを一時的に記憶するＲＡＭ（Random Access Memory）、所定の制御プログラム等を記憶する不揮発性のＲＯＭ（Read Only Memory）、フラッシュＲＯＭ、あるいはＨＤＤ（Hard Disk Drive）等の記憶部、タイマ回路、及びこれらの周辺回路等を備えて構成されている。そして、制御部４０は、例えば上述の制御プログラムを実行することにより、第１通信部４１、表示部４３、第２通信部４４、及び撮影部４５の動作を制御する。
【００４３】
また、制御部４０は、例えば上述の制御プログラムを実行することにより、商品情報取得部４２、及び被撮影者合成部４６として機能する。
【００４４】
さらに、制御部４０は、商品情報提供装置４ａが設置されている店舗や商品情報提供装置４ａを識別するための店舗識別情報Ｄ７を、不揮発性のＲＯＭやフラッシュＲＯＭ等の記憶部に記憶させてもよい。
【００４５】
第１通信部４１は、第１無線通信方式の無線信号を出力すると共に、ＩＣタグ３から出力された無線信号を受信する。具体的には、第１通信部４１は、送信用アンテナと受信用アンテナと、これらのアンテナを制御する制御回路から構成される。また、他の構成としては、無線信号を送信及び受信の双方が可能な送受信アンテナと、このアンテナを制御する制御回路から構成される。
【００４６】
第１通信部４１は、無線信号を連続して送信したり、所定の間隔で無線信号を送信してもよい。また、商品情報提供装置４ａに設けられたボタンを人が押下する等の人の操作に基づいて無線信号を送信するようにしてもよい。特に、ＩＣタグ３が設定領域内に存在した場合にＩＣタグ３からタグ情報Ｄ１を読み取る場合には、第１通信部４１は無線信号を連続して送信したり、所定の間隔で送信することにより、設定領域内にＩＣタグ３が存在することを検知することが可能となる。
【００４７】
さらに、人感センサ等のセンサを商品情報提供装置４ａに備えさせ、人感センサが人を検知したときに、第１通信部４１が無線信号を出力するようにしてもよい。
【００４８】
設定領域は、第１通信部４１が、第１無線通信方式によってＩＣタグ３と無線通信可能な領域である。第１通信部４１から出力される無線信号の出力強度を強くすることで、第１通信部４１からの通信可能な距離を長くできる。一方、出力強度を弱くすることで第１通信部４１からの通信可能な距離を短くできる。さらに、ＩＣタグ３から出力された無線信号に対する第１通信部４１の受信感度を高くすることで第１通信部４１からの通信可能な距離を長くすることができる。一方、ＩＣタグ３から出力された無線信号に対する第１通信部４１の受信感度を低くすることで第１通信部４１からの通信可能な距離を短くすることができる。また、第１通信部４１のアンテナの指向性により、通信可能な指向角を決定することができる。
【００４９】
また、図４に示すように商品情報提供装置４ａを試着室Ｒ内に設けたときには、扉６１の開閉を検知するセンサを設け、扉６１が閉まったことを検知したときに、第１通信部４１が無線信号を出力するようにしてもよい。さらに、試着室Ｒ内に人感センサを設け、人が試着室Ｒ内に入室したことを検知したときに、第１通信部４１が無線信号を出力するようにしてもよい。
【００５０】
また、第１通信部４１の無線通信方式は、ＩＣタグ３と無線通信が可能な無線通信方式である。特に、ＩＣタグ３がＵＨＦ帯のＩＣタグであり、第１無線通信方式がＵＨＦ帯の周波数の信号を用いる場合には、安価なＩＣタグ３を用いることができるだけでなく、ＵＨＦ帯の無線信号方式は、通信可能距離が長く、複数のＩＣタグ３を同時に読み取ることができるというメリットがある。
【００５１】
商品情報記憶部４７は、商品２に付されているＩＣタグ３のタグ情報Ｄ１の情報と、当該商品２に関する商品情報Ｄ２とを対応させて予め記憶する。また、商品情報Ｄ２には、商品２を販売するＷｅｂサイトのＵＲＬ情報や、商品の画像情報Ｄ５が含まれている。
【００５２】
図２は、商品情報Ｄ２の一例を説明した図であり、タグ情報Ｄ１と商品情報Ｄ２とが対応付けられている。また、商品情報Ｄ２としては、「商品番号」、「商品種類」、「サイズ」、「色」、「ＵＲＬ」、「衣類画像情報Ｄ５」の各情報がある。例えば、タグ情報Ｄ１が「０００１」に対応付けられた商品情報Ｄ２は、商品番号が「Ａ０００１」、商品種類が「シャツ」、サイズが「Ｍ」、色が「白」、商品を販売しているサイトのＵＲＬが「http://www.○○○.co.jp/△△△」、衣類画像情報Ｄ５が「Ａ０００１Ｆ」である。なお、衣類画像情報Ｄ５は、画像データであったり、サーバ４ｂに記憶されている画像データのアドレスであったりする。
【００５３】
商品情報取得部４２は、第１通信部４１が読み取ったタグ情報Ｄ１に対応する商品情報Ｄ２を商品情報記憶部４７から取得する。なお、ＩＣタグ３は、タグ情報Ｄ１として商品情報Ｄ２を記憶しておいてもよい。この場合、商品情報記憶部４７を備えず、商品情報取得部４２は、ＩＣタグ３からタグ情報Ｄ１として商品情報Ｄ２を直接取得する構成としてもよい。
【００５４】
また、商品情報取得部４２は、商品情報提供装置４ａが設置されている店舗を識別するための店舗識別情報Ｄ７と、取得したタグ情報Ｄ１に対応した商品情報Ｄ２とを対応させて、識別情報記憶部４８に記憶させてもよい。これにより、商品情報提供装置４ａが携帯無線端末装置５に送信した商品情報Ｄ２と、当該商品情報提供装置４ａが設置されている店舗を識別する店舗識別情報とを対応させて識別情報記憶部４８に記憶させているので、この情報を分析することで、出店している地域と、当該地域に好まれる商品の傾向を理解することができる。
【００５５】
表示部４３は、商品情報取得部４２によって取得された商品情報Ｄ２を表示するものである。具体的には、液晶ディスプレイや有機ＥＬディスプレイ等の表示装置である。なお、表示部４３はタッチパネルディスプレイであってもよく、表示部４３をユーザが操作することで、商品情報提供装置４ａを操作できるようにしてもよい。
【００５６】
第２通信部４４は、商品情報取得部４２によって取得された商品情報Ｄ２を、第１無線通信方式とは異なる第２無線通信方式による無線信号で出力するものである。具体的には、第２通信部４４は、送信用アンテナとこのアンテナを制御する制御回路とから構成されるが、携帯無線端末装置５から出力された無線信号を受信する場合には、送信用アンテナと受信用アンテナとこれらのアンテナを制御する制御回路とから構成するようにしてもよい。
【００５７】
第２通信部４４が出力する第２無線通信方式は、携帯無線端末装置５と無線通信できる方式であり、より具体的には、無線ＬＡＮ方式、Ｗｉ−Ｆｉ（ｗｉｒｅｌｅｓｓ  ｆｉｒｅｌｉｔｙ）方式、Ｂｌｕｅｔｏｏｔｈ（登録商標）方式、ＮＦＣ方式の無線通信等の無線通信があるが、ＮＦＣ方式の無線通信は、通信可能距離は１０ｃｍ以下で、例えば、５ｃｍ程度なので、無線通信が傍受される危険性を小さくすることができ、セキュリティ面で有利である。
【００５８】
例えば、第２通信部４４は、出力信号の出力強度を予め設定することにより、第２通信部４４と携帯無線端末装置５との通信可能な領域を設定する。そして、第２通信部４４は、所定の間隔で予め設定された信号を出力し、その信号に応答して携帯無線端末装置５から出力される信号を検出することで、第２通信部４４の通信可能な領域内に、携帯無線端末装置５が存在するか否かを判定し、通信可能な領域内に携帯無線端末装置５が存在することを検知すると、当該携帯無線端末装置５との通信を開始し、商品情報Ｄ２を第２無線通信方式で出力する。
【００５９】
さらに、第２通信部４４は、携帯無線端末装置５を識別するための端末識別情報Ｄ３を受信してもよい。第２通信部４４が端末識別情報Ｄ３を受信するときには、商品情報取得部４２は、受信した端末識別情報Ｄ３と商品情報Ｄ２とを対応させて、識別情報記憶部４８に記憶させる。これにより、携帯無線端末装置５の使用者がどのような商品の情報を取得しているかが分かるようになるので、携帯無線端末装置５の使用者の商品選択の傾向を分析できるようになる。特に、複数の店舗からの情報を識別情報記憶部４８に記憶させるように構成することで、多くの情報を得ることができ、より携帯無線端末装置５の使用者の商品選択の傾向の分析精度を高めることができる。
【００６０】
また、商品情報Ｄ２に商品２を販売するＷｅｂサイトのＵＲＬ情報が含まれているときには、携帯無線端末装置５を操作することで当該Ｗｅｂサイトに容易にアクセスすることができる。これにより、顧客は実際の店舗で商品２を確認すると共に、当該商品２を販売しているＷｅｂサイトのＵＲＬ情報を容易に入手することができる。また、店舗側にとっても、店舗側が指定したＷｅｂサイトのＵＲＬ情報を携帯無線端末装置５に送信できるので、自社が運営しているＷｅｂサイトから購入してもらうことができる。
【００６１】
撮影部４５は、具体的にはカメラである。撮影部４５は、例えば、図３に示すように、商品情報提供装置４ａに設けられる。撮影部４５が被撮影者を撮影すると、被撮影者を撮影した被撮影者画像情報Ｄ４は、表示部４３に表示されたり、被撮影者合成部４６に送られる。
【００６２】
被撮影者合成部４６は、撮影部４５によって撮影された画像である被撮影者画像情報Ｄ４と商品情報Ｄ２に含まれる衣類画像情報Ｄ５とを合成し、当該衣類を着衣した状態の当該被撮影者の画像情報である被撮影者合成画像情報を生成する。
【００６３】
具体的には、図５を用いて説明する。図５（ａ）は撮影部４５によって撮影された被撮影者画像Ｄ４であり、図５（ｂ）は第１通信部４１によって受信されたタグ情報Ｄ１と対応付けて商品情報記憶部４７に記憶された衣類画像情報Ｄ５の画像であり、図５（ｃ）は被撮影者合成画像情報の画像である。
【００６４】
被撮影者合成部４６は、制御部４０に記憶されている画像解析プログラムを用いて、被撮影者画像情報Ｄ４を画像解析する。この画像解析プログラムは、予め人間の全体や各部分の画像の特徴を解析パターン情報として記憶しておき、被撮影者画像情報Ｄ４と解析パターン情報とを比較して、画像内の人物のみを検出したり、人物の各部位を特定する。衣類画像情報Ｄ５に関しても同様に解析パターン情報を記憶しておき、衣類画像情報Ｄ５と解析パターンとを比較して、衣類の各位置が着衣したときに人物のどの位置に配置するのかを特定する。
【００６５】
例えば、図５（ａ）に示す被撮影者画像情報Ｄ４と、図５（ｂ）に示す衣類画像情報Ｄ５とを合成して、図５（ｃ）に示す被撮影者合成画像情報を生成するときについて説明する。より具体的には、図５（ａ）に示す無地のシャツＷ１を着衣しているユーザの画像に、図５（ｂ）に示す縦縞模様のシャツＷ２の画像を重ね合わせ、図５（ｃ）に示すようにユーザが縦縞模様のシャツＷ２を着衣している状態の画像を作成する。
【００６６】
まず、被撮影者合成部４６は、図５（ａ）に示すように撮影された被撮影者画像情報Ｄ４から、人物部分のみを検出する。そして、人物の顔、首、肩、腕などの各部位を解析パターン情報と比較して画像内の各位置が、どの部位に対応するかを解析する。つぎに、図５（ｂ）に示す衣類画像情報Ｄ５と、解析パターンとを比較して、衣類の各位置が着衣したときに人物のどの位置に配置するのかを特定する。さらに、被撮影者画像情報Ｄ４の解析結果と、衣類画像情報Ｄ５の解析結果とを対応させ、被撮影者の画像の上に衣類の画像を配置させ、図５（ｃ）に示す被撮影者合成画像情報を作成する。
【００６７】
そして、被撮影者合成部４６は、撮影者合成画像情報をインターネット上のＷｅｂサーバに記憶させ、当該撮影者合成画像情報にアクセスするためのＵＲＬなどのアドレス情報Ｄ６を第２通信部４４から第２無線通信方式で携帯無線端末装置５に送信してもよい。そして、ユーザは、携帯無線端末装置５に送信されたアドレス情報Ｄ６に基づいて、Ｗｅｂサーバに記憶された当該撮影者合成画像情報を取得し、携帯無線端末装置５に記憶させてもよい。また、Ｗｅｂサーバに撮影者合成画像情報を記憶させるときには、予め設定された時間が経過した場合には、当該撮影者合成画像情報を削除することで、ユーザのプライバシーにも配慮することができる。
【００６８】
なお、被撮影者合成部４６で生成された被撮影者合成画像情報を、第２通信部４４から第２無線通信方式で携帯無線端末装置５に送信してもよい。
【００６９】
携帯無線端末装置５は、図１に示すように、無線端末制御部５０、第２無線信号通信部５１、無線通信部５２、及びタッチパネルディスプレイ５３を備えている。具体的には、携帯無線端末装置５は、例えば、第２無線通信方式で無線通信が可能な携帯電話、スマートフォン、タブレット端末など携帯端末である。
【００７０】
無線端末制御部５０は、例えば、所定の演算処理を実行するＣＰＵ（Central Processing Unit）、データを一時的に記憶するＲＡＭ（Random Access Memory）、所定の制御プログラム等を記憶する不揮発性のＲＯＭ（Read Only Memory）、フラッシュＲＯＭ、あるいはＨＤＤ（Hard Disk Drive）等の記憶部、タイマ回路、及びこれらの周辺回路等を備えて構成されている。そして、無線端末制御部５０は、例えば上述の制御プログラムを実行することにより、第２無線信号通信部５１、無線通信部５２、及びタッチパネルディスプレイ５３の動作を制御する。
【００７１】
また、無線端末制御部５０は、例えば上述の制御プログラムを実行することにより、商品情報処理部５４、無線端末記憶部５５、及び端末処理部５６として機能する。制御プログラムは、例えば、無線通信部５２によってダウンロードされるいわゆるアプリであってもよい。
【００７２】
第２無線信号通信部５１は、第２通信部４４から第２無線通信方式で出力された無線信号を受信する。具体的には、第２無線信号通信部５１は、受信用アンテナとこのアンテナを制御する制御回路とから構成されるが、第２通信部４４へ端末識別情報Ｄ３を出力する場合には、送信用アンテナと受信用アンテナとこれらのアンテナを制御する制御回路とから構成するようにしてもよい。
【００７３】
無線通信部５２は、携帯電話等の通信会社の基地局のアンテナと通信をし、インターネットを介したデータ通信や、一般公衆回線を介した音声通話などを行う。具体的には、送信及び受信が可能なアンテナと、アンテナを制御する制御回路とから構成される。
【００７４】
タッチパネルディスプレイ５３は、商品情報提供装置４ａから送信された商品情報Ｄ２や被撮影者合成画像情報等の情報を画面に表示する。また、ユーザがタッチパネルディスプレイ５３を操作することで、無線端末制御部５０に制御信号を出力する。より具体的な一例としては、商品情報提供装置４ａから送信された商品情報Ｄ２を表示したり、ユーザが画面を操作することで商品情報Ｄ２に含まれるＵＲＬのＷｅｂサイトにアクセスするための信号を無線端末制御部５０に出力する。
【００７５】
無線端末記憶部５５は、第２無線通信方式で商品情報提供装置４ａと無線通信するためのアプリケーションプログラムを記憶するものである。また、無線端末記憶部５５は、受信した商品情報Ｄ２や被撮影者合成画像情報などの情報を記憶する。
【００７６】
商品情報処理部５４は、無線端末記憶部５５に記憶されている第２無線通信方式で商品情報提供装置４ａと無線通信するためのアプリケーションプログラムを実行することにより、商品情報Ｄ２や被撮影者合成画像情報を無線端末記憶部５５に記憶させたり、無線端末記憶部５５に記憶された商品情報Ｄ２や被撮影者合成画像情報を読み出してタッチパネルディスプレイ５３に表示させる。
【００７７】
端末処理部５６は、携帯無線端末装置５に入力される信号や出力される信号を処理したり、無線通信部５２やタッチパネルディスプレイ５３などを制御する。
【００７８】
図３は、商品情報提供装置４ａの一例を示した説明図である。商品情報提供装置４ａは、図３に示すように、前面の上部に表示部４３が設けられ、その下方に第２通信部４４が設けられている。また、第２通信部４４の下方の本体内部に第１通信部４１が設けられている。さらに、表示部４３の上部に撮影部４５が設けられている。
【００７９】
また、商品情報提供装置４ａは、図１に示すサーバ４ｂとはネットワークを介して通信可能であり、商品情報記憶部４７から商品情報Ｄ２を取得したり、識別情報記憶部４８に商品情報Ｄ２と端末識別情報Ｄ３とを記憶させることができる。
【００８０】
第１通信部４１は、ＵＨＦ帯の無線信号を定期的に出力する。ＩＣタグ３が第１通信部４１の通信可能な設定領域内に進入すると、ＩＣタグ３が第１通信部４１から出力された無線信号に応答してタグ情報Ｄ１を示す無線信号を出力する。そして、第１通信部４１はＩＣタグ３からタグ情報Ｄ１を読み取ると、商品情報取得部４２は、サーバ４ｂの商品情報記憶部４７にアクセスし、当該タグ情報Ｄ１に対応する商品情報Ｄ２を取得し、当該商品情報Ｄ２を表示部４３に表示する。さらに、携帯無線端末装置５を第２通信部４４に接触させると、第２通信部４４から携帯無線端末装置５に商品情報Ｄ２が送信される。
【００８１】
このように商品情報提供装置４ａを構成することにより、ＩＣタグ３が付された商品２を設定領域内に持ち込むと、表示部４３に商品情報Ｄ２が表示される。さらに、タグ情報Ｄ１に対応した商品情報Ｄ２を取得し、第２無線通信方式で携帯無線端末装置５に出力するので、顧客は携帯無線端末装置５を第２通信部４４に接触させるだけで、当該商品情報Ｄ２を携帯無線端末装置５に記憶させることができる。加えて、商品２を販売しているＷｅｂサイトのＵＲＬも商品情報Ｄ２と共に入手することができるので、煩雑な作業をすることなく当該商品が販売されているＷｅｂサイトにアクセスすることができる。
【００８２】
さらに、ユーザが撮影部４５によって撮影されたユーザ自身の被撮影者画像情報Ｄ４と、商品情報Ｄ２に含まれる衣類画像情報Ｄ５とから被撮影者合成画像情報を生成し、生成された被撮影者合成画像情報や、当該撮影者合成画像情報にアクセスするためのＵＲＬなどのアドレス情報Ｄ６を携帯無線端末装置５に記憶させてもよい。
【００８３】
つぎに、図３で示した商品情報提供装置４ａを衣類販売店に設置し、撮影部４５で撮影した被撮影者の画像と商品画像とを合成した被撮影者合成画像情報を生成するときを一例として図６に示すフロー図、及び図１〜図３を用いて説明する。この説明では、ＩＣタグ３はＵＨＦ帯のＩＣタグであり、第１無線通信方式はＵＨＦ帯の周波数を用い、第２無線通信方式はＮＦＣ方式の信号を用いている。
【００８４】
まず、商品情報提供装置４ａが起動されると、第１通信部４１はＵＨＦ帯の無線信号を定期的に出力する（ステップＳ１）。
【００８５】
つぎに、第１通信部４１とＩＣタグ３との通信可能な領域に、ユーザがＩＣタグ３を付した商品２であるシャツを持ち込むと、第１通信部４１はＩＣタグ３に記憶されているタグ情報Ｄ１を読み取り（ステップＳ２）、商品情報取得部４２は、当該タグ情報Ｄ１に対応した商品情報Ｄ２を取得し（ステップＳ３）、商品情報Ｄ２を表示部４３に表示する（ステップＳ４）。商品情報としては、図２に示した「サイズ」、「色」、「販売サイトのＵＲＬ」、「衣類画像情報」の他に、「素材」、「価格」などの情報が含まれていてもよい。なお、「衣類画像情報」としては図５（ｂ）に示すような画像情報である。
【００８６】
つぎに、制御部４０は、表示部４３に「こちらのシャツをあなたの画像に合成しますか？」というメッセージを表示し、ユーザ自身の画像とシャツの商品画像とを合成するか否かを尋ねる（ステップＳ５）。ユーザはタッチパネルディスプレイの表示部４３を操作して合成画像を作成するか否かの意思表示をする。合成画像を作成するときにはステップＳ６に移行し、合成画像を作成しないときにはステップＳ９に移行する。
【００８７】
合成画像を作成する場合は、撮影部４５はユーザを撮影し（ステップＳ６）、被撮影者画像情報Ｄ４を作成する。撮影部４５で撮影した画像は、例えば、図５（ａ）に示すような画像情報である。なお、撮影した画像を表示部４３に表示させてもよい。
【００８８】
つぎに、被撮影者合成部４６は、被撮影者画像情報Ｄ４と、ステップＳ３で取得した商品情報Ｄ２に含まれる衣類画像情報とを合成し（ステップＳ７）、被撮影者合成画像情報を作成する。そして、表示部４３に合成した画像を表示する（ステップＳ８）。合成した画像としては、例えば、図５（ｃ）に示した画像である。
【００８９】
つぎに、制御部４０は、表示部４３に「合成した画像をスマートフォンに記憶しますか？」というメッセージを表示し、ユーザが被撮影者合成画像情報を携帯無線端末装置５に記憶させるか否かを尋ねる（ステップＳ９）。ユーザはタッチパネルディスプレイの表示部４３を操作して被撮影者合成画像情報を携帯無線端末装置５に記憶するか否かの意思表示をする。被撮影者合成画像情報を記憶するときには、ステップＳ１０に移行し、被撮影者合成画像情報を記憶しないときには、ステップＳ１６に移行する。
【００９０】
被撮影者合成画像情報を携帯無線端末装置５に記憶するときには、ユーザは自身が保有する携帯無線端末装置５を図３に示す第２通信部４４に接触させる。すると、第２通信部４４は、ＮＦＣ方式の無線通信で携帯無線端末装置５と通信を開始する。
【００９１】
まず、商品情報提供装置４ａは、被撮影者合成画像情報をＷｅｂサーバに記憶させ（ステップＳ１０）、当該撮影者合成画像情報にアクセス可能なＵＲＬ（アドレス情報Ｄ６）をＮＦＣ方式で携帯無線端末装置５に出力する（ステップＳ１１）。そして、携帯無線端末装置５は、受信したＵＲＬ（アドレス情報Ｄ６）を無線端末記憶部５５に記憶する。
【００９２】
つぎに、第２通信部４４は、携帯無線端末装置５から出力された端末識別情報Ｄ３を取得する（ステップＳ１２）。そして、商品情報提供装置４ａは、商品情報Ｄ２をＮＦＣ方式で携帯無線端末装置５に出力する（ステップＳ１３）。
【００９３】
つぎに、ユーザは、携帯無線端末装置５を操作して、ステップＳ１１で取得したＵＲＬから被撮影者合成画像情報をＷｅｂサーバから取得し（ステップＳ１４）、無線端末記憶部５５に記憶させる。
【００９４】
つぎに、商品情報取得部４２は、商品情報Ｄ２と端末識別情報Ｄ３とを対応させた情報と、商品情報Ｄ２と店舗識別情報Ｄ７とを対応させた情報とをそれぞれ識別情報記憶部４８に記憶させる（ステップＳ１５）。
【００９５】
つぎに、商品情報提供装置４ａは、被撮影者画像情報Ｄ４と被撮影者合成画像情報とをメモリなどの記憶部から消去する（ステップＳ１６）。
【００９６】
以上のように、商品２に付されたＵＨＦ帯のＩＣタグ３に予め記憶されたタグ情報から、当該商品２に対応する商品情報Ｄ２を取得し、ＮＦＣ方式でスマートフォン等の携帯無線端末装置５に出力するので、携帯無線端末装置５に商品情報Ｄ２を記憶させることができる。
【００９７】
さらに、商品情報Ｄ２には、商品を販売するＷｅｂサイトのＵＲＬ情報が含まれているので、実際の店舗で商品２を購入しなかったときでも、顧客が携帯無線端末装置５に記憶された商品情報Ｄ２を見ることで、購買意欲を喚起させることができる。
【００９８】
加えて、商品が衣類であるときは、商品情報Ｄ２に含まれる衣類画像情報と、ユーザを撮影した被撮影者合成画像情報とから、ユーザが着衣した状態の被撮影者合成画像情報を作成し、表示部４３に表示するので、ユーザは試着室で試着しなくても着衣した状態を容易にイメージすることができる。
【００９９】
さらに、着衣した状態の被撮影者合成画像情報を、携帯無線端末装置５に記憶させることができるので、帰宅したときにも当該被撮影者合成画像情報を携帯無線端末装置５のタッチパネルディスプレイ５３に表示させることで、着衣したときのイメージを想像し易くなり、さらにユーザの購買意欲を喚起させることができる。
【０１００】
また、ステップＳ１６で示したように、被撮影者画像情報Ｄ４と被撮影者合成画像情報とが商品情報提供装置４ａの記憶部から消去されるので、不要な情報を適宜消去することで、ユーザのプライバシーに配慮した商品情報提供装置４ａ及び商品情報システム４とすることができる。
【０１０１】
さらに、サーバ４ｂの識別情報記憶部４８に、端末識別情報Ｄ３と商品情報Ｄ２とを対応させて記憶している。つまり、ユーザが取得した商品情報Ｄ２が記憶されているので、ユーザがどのような商品の情報を取得したのかが容易に分かる。さらに、これらの情報を多く蓄積することで、ユーザの好みを分析するためのデータとすることもできる。
【０１０２】
加えて、サーバ４ｂの識別情報記憶部４８に、店舗識別情報Ｄ７と商品情報Ｄ２とを対応させて記憶している。つまり、店舗毎にユーザが取得した商品情報Ｄ２が記憶されているので、この情報を分析することで、出店している地域と、当該地域に好まれる商品の傾向を理解することができる。
【０１０３】
図４は、図３で示した商品情報提供装置４ａを設置した試着室Ｒの一例を示した説明図である。また、図４に示すように、商品情報提供装置４ａが試着室Ｒ内の向かって左側に設置されたときには、商品情報提供装置４ａの前面と試着室Ｒの向かって右側の側面との空間に、ＩＣタグ３が存在したときにタグ情報Ｄ１を読み取れるように、第１通信部４１の無線信号の出力を制御しておくと、ＩＣタグ３が付された服などの商品２を持った顧客が試着室Ｒ内に入ると、第１通信部４１はＩＣタグ３からの無線信号を受信することができる。つまり、顧客が商品２を持って試着室Ｒに入室すると、第１通信部４１がＩＣタグ３のタグ情報Ｄ１を受信し、当該タグ情報Ｄ１に対応した商品情報Ｄ２を取得し、表示部４３に商品情報Ｄ２を表示したり、第２通信部４４から携帯無線端末装置５に商品情報Ｄ２を送信できるようになる。
【０１０４】
さらに、試着室Ｒの壁面６０と扉６１の表面や内部に、カーボンを含有した素材や金属製のネットなどの電波吸収体を設けることにより、第１通信部４１から出力される無線信号を減衰させ、試着室Ｒの外部にあるＩＣタグ３のタグ情報Ｄ１を読み取れないようにしてもよい。このように試着室Ｒの外部にあるＩＣタグ３のタグ情報Ｄ１を読み取れないように試着室Ｒを設けることで、試着室Ｒに持ち込まれた商品２に付されたＩＣタグ３だけのタグ情報Ｄ１を読み取ることができる。
【０１０５】
以上にしてなる本発明に係る商品情報提供装置４ａは、ＵＨＦ帯のＩＣタグ３が付された商品２を試着室Ｒ内に持ち込むと、商品情報提供装置４ａはＵＨＦ帯の無線信号でＩＣタグ３に記憶されたタグ情報Ｄ１を読み取り、当該タグ情報Ｄ１に対応した商品情報Ｄ２を携帯無線端末装置５に出力して記憶させることができる。さらに、商品情報Ｄ２には、商品を販売するＷｅｂサイトのＵＲＬ情報が含まれているので、実際の店舗で商品２を購入しなかったときでも、顧客が携帯無線端末装置５に記憶された商品情報Ｄ２を見ることで、購買意欲を喚起させることができる。さらに、当該商品２を販売するＷｅｂサイトのＵＲＬ情報も記憶されているので、面倒な操作をすることなく当該Ｗｅｂサイトから商品を購入することができる。
【０１０６】
また、店舗側にとっては、店舗が指定したＵＲＬのＷｅｂサイトにアクセスしてもらえるので、自社が運営しているＷｅｂサイトから商品２を購入してもらえるようになる。
【符号の説明】
【０１０７】
１      商品情報提供システム
２      商品
３      ＩＣタグ
４      商品情報システム
４ａ    商品情報提供装置
４ｂ    サーバ
５      携帯無線端末装置
４０    制御部
４１    第１通信部
４２    商品情報取得部
４３    表示部
４４    第２通信部
４５    撮影部
４６    被撮影者合成部
４７    商品情報記憶部
４８    識別情報記憶部
５０    無線端末制御部
５１    無線信号通信部
５２    無線通信部
５３    タッチパネルディスプレイ
５４    商品情報処理部
５５    無線端末記憶部
５６    端末処理部
６０    壁面
６１    扉
Ｄ１    タグ情報
Ｄ２    商品情報
Ｄ３    端末識別情報
Ｄ４    被撮影者画像情報
Ｄ５    衣類画像情報
Ｄ６    アドレス情報
Ｄ７    店舗識別情報
Ｒ      試着室
Ｗ１    無地のシャツ
Ｗ２    縦縞模様のシャツ
【図１】
2017058862.tif 000003
【図２】
2017058862.tif 000004
【図３】
2017058862.tif 000005
【図４】
2017058862.tif 000006
【図５】
2017058862.tif 000007
【図６】
2017058862.tif 000008